(57)【要約】【課題】スペクトラムアナライザを適用する無線通信電波の電波品質の評価において、的確で容易に特定し判断可能な表示手段を備える送信電波評価システムを提供する。【解決手段】ロギングデータに基づいて生成した画面表示用のスペクトラムデータを受けて、スペクトラムデータを所定周波数間隔でＭ区分し、Ｍ区分した各区分毎にスペクトラムデータの平均値を区分単位スペクトラムレベルとして求め、求めたＭ点の区分単位スペクトラムレベルをレベルに対応したドット表示色で表示画面上の周波数軸となる表示方向へ一列となる１次元でＭ点をカラー表示する１次元スペクトラムカラー表示手段を具備し、１次元スペクトラムカラー表示手段を適用して、画面表示用の複数Ｎ点のスペクトラムデータを受けて、表示画面上の経時軸となる表示方向へ複数Ｎ点のスペクトラムの推移をカラー表示する手段を具備する送信電波評価システム。【選択図】　　　　図２
2004056339.tif 000002
【特許請求の範囲】
【請求項１】
電波信号を送信する評価対象の送信装置（ＤＵＴ）から発生する電波信号を被測定信号として受けて継続的に多数回測定し、測定して得たスペクトラムデータと該スペクトラムデータから算出して求めた各種数値データとの測定情報をロギングデータとして一旦格納し、格納した該ロギングデータを随時読み出して所定の表示形態で画面表示して送信電波の評価を行う送信電波評価システムであって、
該ロギングデータに基づいて生成した画面表示用のスペクトラムデータを受けて、該スペクトラムデータを所定周波数間隔でＭ区分し、Ｍ区分した各区分毎にスペクトラムデータの平均値を区分単位スペクトラムレベルとして求め、求めたＭ点の区分単位スペクトラムレベルをレベルに対応したドット表示色で表示画面上の周波数軸となる表示方向へ一列となる１次元でＭ点をカラー表示する１次元スペクトラムカラー表示手段と、
該１次元スペクトラムカラー表示手段を適用して、画面表示用の複数Ｎ点のスペクトラムデータを受けて、表示画面上の経時軸となる表示方向へ複数Ｎ点のスペクトラムの推移をカラー表示する手段と、
を具備することを特徴とする送信電波評価システム。
【請求項２】
被測定信号である電波信号を送信する評価対象の送信装置（ＤＵＴ）と、
該電波信号を被測定信号として受けて継続的に多数回測定し、測定して得たスペクトラムデータから各種数値データを演算して求め、該スペクトラムデータと該各種数値データと測定時の時刻情報とを測定情報とし、該測定情報を通信手段を介してパーソナル・コンピュータＰＣへ転送するスペクトラムアナライザＳＡと、
スペクトラムアナライザＳＡとパーソナル・コンピュータＰＣとの間で多数点の測定情報を転送する通信手段と、
多数点の該測定情報をロギングデータとして一旦格納する記憶装置と、
格納された該ロギングデータを随時読み出して所定の表示形態で画面表示するパーソナル・コンピュータＰＣと、
を備える送信電波評価システムであって、
該ロギングデータに基づいて生成した画面表示用のスペクトラムデータを受けて、該スペクトラムデータを所定周波数間隔でＭ区分し、Ｍ区分した各区分毎にスペクトラムデータの平均値を区分単位スペクトラムレベルとして求め、求めたＭ点の区分単位スペクトラムレベルをレベルに対応したドット表示色で表示画面上の周波数軸となる表示方向へ一列となる１次元でＭ点をカラー表示する１次元スペクトラムカラー表示手段と、
該１次元スペクトラムカラー表示手段を適用して、画面表示用の複数Ｎ点のスペクトラムデータを受けて、表示画面上の経時軸となる表示方向へ複数Ｎ点のスペクトラムをカラー表示する手段と、
を具備して経時的な推移をトレンドグラフ表示することを特徴とする送信電波評価システム。
【請求項３】
該１次元スペクトラムカラー表示手段が受ける画面表示用のスペクトラムデータは、スペクトラムアナライザが測定した１点のスペクトラムデータ、若しくは複数点のスペクトラムデータの平均値を求めたデータ、若しくはスペクトラムアナライザが複数回連続測定してアベレージング処理した結果の１点のスペクトラムデータである、ことを特徴とする請求項１又は２記載の送信電波評価システム。
【請求項４】
電波信号を送信する評価対象の送信装置（ＤＵＴ）から発生する電波信号を被測定信号として受けて継続的に多数回測定し、測定して得たスペクトラムデータと該スペクトラムデータから算出して求めた各種数値データとの測定情報をロギングデータとして一旦格納し、格納した該ロギングデータを随時読み出して所定の表示形態で画面表示して送信電波の評価を行う送信電波評価システムであって、
該ＤＵＴに適用する電源電圧を測定するＤＵＴ電源電圧測定手段と、
該ＤＵＴ電源電圧測定手段で測定した電源電圧データを該測定情報に追加してロギングデータとして格納し、
該電源電圧データを経時表示する手段と、
少なくとも１つの他の評価項目を経時表示する手段と、
を具備することを特徴とする送信電波評価システム。
【請求項５】
電波信号を送信する評価対象の送信装置（ＤＵＴ）から発生する電波信号を被測定信号として受けて継続的に多数回測定し、測定して得たスペクトラムデータと該スペクトラムデータから算出して求めた各種数値データとの測定情報をロギングデータとして一旦格納し、格納した該ロギングデータを随時読み出して所定の表示形態で画面表示して送信電波の評価を行う送信電波評価システムであって、
該ＤＵＴの環境温度を検出する温度検出手段と、
該温度検出手段で検出した温度データを該測定情報に追加してロギングデータとして格納し、
該温度データを経時表示する手段と、
少なくとも１つの他の評価項目を経時表示する手段と、
を具備することを特徴とする送信電波評価システム。
【請求項６】
該１次元スペクトラムカラー表示手段と、
請求項４記載の電源電圧データを経時表示する手段と、を備えることを特徴とする請求項１又は２記載の送信電波評価システム。
【請求項７】
該１次元スペクトラムカラー表示手段と、
請求項５記載の温度データを経時表示する手段と、を備えることを特徴とする請求項１又は２記載の送信電波評価システム。
【請求項８】
該１次元スペクトラムカラー表示手段と、
請求項４記載の電源電圧データを経時表示する手段と、
請求項５記載の温度データを経時表示する手段と、を備えることを特徴とする請求項１又は２記載の送信電波評価システム。
【請求項９】
該測定情報は、該スペクトラムアナライザが測定して得たスペクトラムデータと、該スペクトラムデータから算出して求めた各種数値データ）と、測定時の時刻情報とを備える、ことを特徴とする請求項１、２、４又は５記載の送信電波評価システム。
【発明の詳細な説明】
【０００１】
【発明の属する技術分野】
この発明は、無線通信電波（送信電波）の電波品質の評価が的確で容易に特定し判断することが可能な送信電波評価システムに関する。特に、スペクトラムアナライザを適用する無線通信電波の電波品質の評価において、的確で容易に特定し判断可能な表示手段を備える送信電波評価システムに関する。又、電波品質の揺らぎ若しくは悪化を与える原因要素を並行して同時測定して、前記原因要素と無線通信電波との相関関係を表示可能とする送信電波評価システムに関する。
【０００２】
【従来の技術】
送信電波のスプリアス発射強度や占有周波数帯域や隣接チャネル漏洩電力や周波数偏差等は電波法や施行規則等による電波行政で定められているので、測定し、検査監視する必要性がある。尚、送信電波には連続的な電波と、バースト的な電波とがある。
【０００３】
移動体通信用の基地局においても、基地局から送信する電波が常に所定の電波品質を維持しているかを監視する必要性がある。監視方法としては、送信電波に係る各種測定値の経時的な変動を無人で長時間記録（ロギング）し、記録したロギングデータを、随時若しくは作業者が後日必要とする部位のロギングデータ部位を表示させて、評価判定等を行う。評価項目としては、例えば、隣接チャンネル漏洩電力測定（ＡＣＰ測定）、占有帯域電力率測定（ＯＢＷ測定）、周波数偏差（占有帯域幅の中心周波数Ｆｃの偏差）、その他、電波行政に基づく各種測定値やスペクトラム等の経時的な変動推移を評価する。
【０００４】
図１は移動体通信用の基地局を評価する送信電波評価システムの従来の概念構成図である。この構成要素は基地局のＤＵＴと、スペクトラムアナライザＳＡと、通信手段８１と、パーソナル・コンピュータＰＣと、表示装置９０とがある。尚、スペクトラムアナライザＳＡは公知であり技術的に良く知られている為、本願に係る要部を除き、説明を省略する。
【０００５】
基地局内には、移動体通信に係る多数の変調復調装置や中継装置や送信装置がある。送信装置は所定に変調された複数チャンネルの周波数信号をアンテナから送出される。送信装置には送信電波の状態をモニタする電波信号モニタ端子ＳＭを有している。この送信装置を被試験装置ＤＵＴと呼称する。
ＤＣ電源は、複数のＤＵＴへ供給する直流電源である。ＤＵＴに備える電源電圧測定端子ＶＴは、ＤＵＴへ供給する直流電源の電圧をチェックするモニタ端子であり、作業者が随時チェックする。
【０００６】
スペクトラムアナライザＳＡは、スペクトラム測定部２０を備えている。スペクトラム測定部２０は、所望の測定条件（設定パラメータや測定シーケンス）に基づく中心周波数、周波数スパン、掃引条件、帯域幅条件、測定周期、測定期間、その他によって、電波信号モニタ端子ＳＭから受ける入力周波数信号を測定し、測定して得たスペクトラムデータ等を一旦バッファ装置（図示なし）に保存しておき、所定のデータ処理やフィルタ処理等を行った後、通信手段８１を介してＰＣへデータ転送する。尚、バースト的な入力周波数信号の場合にはゲーティッドスイープ機能を適用して測定する。
また、ＰＣから変更される測定条件を随時受けて、これに対応する設定パラメータで入力周波数信号を測定してスペクトラムデータを収集できる。尚、ＳＡとＰＣとは基地局内に設置されて使用する場合が多い。
【０００７】
通信手段８１は、比較的大量のデータを高速に転送するデータ伝送線路であり、例えばＧＰＩＢインタフェースが使用される。
【０００８】
パーソナル・コンピュータＰＣは、表示処理部５０と、大容量の記憶装置６０を備える。尚、表示装置９０は通常の表示手段である。
表示処理部５０は、送信電波を評価する為の専用のソフトウエアに基づく処理部であって、スペクトラムアナライザＳＡからの複数群の測定データを継続的／断続的に受信して記憶装置６０へ格納する。また、格納した多数群の測定データを読み出して、作業者の指示に基づいた表示形態にデータ処理をした後、表示装置９０で表示する。
【０００９】
記憶装置６０は、ＰＣが備える数十ギガバイト容量の記憶装置である。１回分の測定データのデータ容量は測定条件によっても変動してくるが、例えば数十Ｋバイトである。記憶装置６０への書込み周期は設定環境にもよるが、最速の０．５秒程度から５秒程度の周期である。また、測定前に記録モードとして２タイプ選択でき、第１のＨＤＤ等の外部記憶媒体への書き込みモードと、第２のＰＣのメインメモリ書き込みモードとがある。
【００１０】
上述した従来の送信電波評価システムによれば、一応の評価をすることが可能である。しかしながら、膨大な測定データを表示装置へ表示することになる。この為、作業者が電波のスプリアス発射強度や占有周波数帯域や隣接チャネル漏洩電力や周波数偏差等評価することは多大の時間と手操作を伴う難点がある。例えば１時間分の測定データの２０×３６００＝７２０００点のスペクトラム波形等を目視確認するのは多大な手操作と時間と労力とを要する。また、膨大な点数の測定データの中から、所定の電波品質を維持しているか否かを特定し判断することについても、多大の時間と労力が必要である。
【００１１】
更に、基地局内に設置されるＤＵＴが環境温度の変動に伴って、維持すべき所定の電波品質に揺らぎを生じたりする装置もある。また、無停電電源装置の切替時、瞬停、誘導雷、その他に伴ってＤＵＴへ供給する直流電源の電源電圧が瞬間的に電圧ドロップしたりしたとき、これに伴って、維持すべき所定の電波品質が悪化する場合や、原因不明の不良現象を生ずる場合もある。
【００１２】
【発明が解決しようとする課題】
上述説明したように従来技術の送信電波評価システムによれば、一応の評価をすることが可能であるものの、第１に、膨大な測定データを表示装置へ表示して作業者が、電波のスプリアス発射強度や占有周波数帯域や隣接チャネル漏洩電力や周波数偏差等を評価することは多大の時間と手作業を伴う難点がある。また、膨大な点数の測定データの中から、所定の電波品質を維持しているか否かを特定し判断することも、多大の時間と労力が必要である。
第２に、基地局内に設置されるＤＵＴが環境温度の変動に伴って、維持すべき所定の電波品質に揺らぎを生じたりする装置もある。また、無停電電源装置の切替時、瞬停、誘導雷、その他に伴ってＤＵＴへ供給する直流電源の電源電圧が瞬間的に電圧ドロップしたりしたとき、これに伴って、維持すべき所定の電波品質が悪化する場合もあり、原因不明の不良現象を生ずる場合がある。
これらの観点からして、従来の送信電波評価システムには、実用上の難点がある。
そこで、本発明が解決しようとする課題は、スペクトラムアナライザを適用する無線通信電波の電波品質の評価において、的確で容易に特定し判断可能な表示手段を備える送信電波評価システムを提供することである。
また、電波品質の揺らぎ若しくは悪化を与える原因要素を並行して同時測定して、前記原因要素と無線通信電波との相関関係を表示可能とする送信電波評価システムを提供することである。
【００１３】
【課題を解決するための手段】
第１の解決手段を示す。ここで第３図は、本発明に係る解決手段を示している。
上記課題を解決するために、電波信号を送信する評価対象の送信装置から発生する電波信号を被測定信号として受けて継続的に多数回測定し、測定して得たスペクトラムデータとスペクトラムデータから算出して求めた各種数値データとの測定情報をロギングデータとして一旦格納し、格納したロギングデータを随時読み出して所定の表示形態で画面表示して送信電波の評価を行う送信電波評価システムであって、
ロギングデータに基づいて生成した画面表示用のスペクトラムデータを受けて、スペクトラムデータを所定周波数間隔（一定周波数間隔若しくは対数周波数表示間隔）でＭ区分し、Ｍ区分した各区分毎にスペクトラムデータの平均値を区分単位スペクトラムレベルとして求め、求めたＭ点の区分単位スペクトラムレベルをレベルに対応したドット表示色で表示画面上の周波数軸となる表示方向（例えばＸ軸方向）へ一列となる１次元でＭ点をカラーでドット表示する１次元スペクトラムカラー表示手段を具備し、
上記１次元スペクトラムカラー表示手段を適用して、画面表示用の複数Ｎ点のスペクトラムデータを受けて、表示画面上の経時軸となる表示方向（例えばＹ軸方向）へ複数Ｎ点のスペクトラムの推移をカラー表示する手段を具備し、
以上を具備して経時的な推移をトレンドグラフ表示することを特徴とする送信電波評価システムである。
【００１４】
次に、第２の解決手段を示す。ここで第３図は、本発明に係る解決手段を示している。
被測定信号である電波信号を送信する評価対象の送信装置（ＤＵＴ）を具備し、
上記電波信号を被測定信号として受けて継続的に多数回測定し、測定して得たスペクトラムデータから各種数値データ（例えば中心周波数Ｆｃ、隣接チャンネル漏洩電力測定ＡＣＰ、占有帯域電力率測定ＯＢＷ、その他）を演算して求め、スペクトラムデータと各種数値データと測定時の時刻情報とを測定情報とし、測定情報を通信手段８１を介してパーソナル・コンピュータＰＣへ転送するスペクトラムアナライザＳＡを具備し、
スペクトラムアナライザＳＡとパーソナル・コンピュータＰＣとの間で多数点の測定情報を転送する通信手段８１を具備し、
多数点の上記測定情報をロギングデータとして一旦格納する記憶装置６０（専用の外部記憶装置若しくはパーソナル・コンピュータＰＣに備える記憶装置）を具備し、
格納されたロギングデータを随時読み出して所定の表示形態で画面表示するパーソナル・コンピュータＰＣを具備し、
以上を備える送信電波評価システムであって、
ロギングデータに基づいて生成した画面表示用のスペクトラムデータを受けて、スペクトラムデータを所定周波数間隔（一定周波数間隔若しくは対数周波数表示間隔）でＭ区分し、Ｍ区分した各区分毎にスペクトラムデータの平均値を区分単位スペクトラムレベルとして求め、求めたＭ点の区分単位スペクトラムレベルをレベルに対応したドット表示色で表示画面上の周波数軸となる表示方向（例えばＸ軸方向）へ一列となる１次元でＭ点をカラーでドット表示する１次元スペクトラムカラー表示手段を具備し、
上記１次元スペクトラムカラー表示手段を適用して、画面表示用の複数Ｎ点のスペクトラムデータを受けて、表示画面上の経時軸となる表示方向（例えばＹ軸方向）へ複数Ｎ点のスペクトラムをカラー表示する手段を具備し、
以上を具備して経時的な推移をトレンドグラフ表示することを特徴とする送信電波評価システムがある。
【００１５】
次に、第３の解決手段を示す。
上述１次元スペクトラムカラー表示手段が受ける画面表示用のスペクトラムデータの一態様としては、スペクトラムアナライザが測定した１点のスペクトラムデータ、若しくは複数点のスペクトラムデータの平均値を求めたデータ、若しくはスペクトラムアナライザが複数回連続測定してアベレージング処理した結果の１点のスペクトラムデータである、ことを特徴とする上述送信電波評価システムがある。
【００１６】
次に、第４の解決手段を示す。ここで第４図は、本発明に係る解決手段を示している。
上記課題を解決するために、電波信号を送信する評価対象の送信装置から発生する電波信号を被測定信号として受けて継続的に多数回測定し、測定して得たスペクトラムデータとスペクトラムデータから算出して求めた各種数値データとの測定情報をロギングデータとして一旦格納し、格納したロギングデータを随時読み出して所定の表示形態で画面表示して送信電波の評価を行う送信電波評価システムであって、
ＤＵＴに適用する電源電圧の経時的な変化若しくは瞬停等の急激な変動若しくは最大／最小電源電圧を測定するＤＵＴ電源電圧測定手段（例えば信号変換装置１０）を具備し、
上記ＤＵＴ電源電圧測定手段で測定した電源電圧データを測定情報に追加してロギングデータとして格納し、
上記電源電圧データを経時表示する手段を具備し、
少なくとも１つの他の評価項目（例えば中心周波数Ｆｃ、隣接チャンネル漏洩電力測定ＡＣＰ、占有帯域電力率測定ＯＢＷ、その他）を、上記電源電圧データの経時表示と対比可能に並べて経時表示する手段を具備し、
以上を具備してＤＵＴの電源電圧の経時的な推移と他の評価項目との相関関係の推移をトレンドグラフ表示することを特徴とする送信電波評価システムがある。
【００１７】
次に、第５の解決手段を示す。ここで第５図は、本発明に係る解決手段を示している。
上記課題を解決するために、電波信号を送信する評価対象の送信装置から発生する電波信号を被測定信号として受けて継続的に多数回測定し、測定して得たスペクトラムデータとスペクトラムデータから算出して求めた各種数値データとの測定情報をロギングデータとして一旦格納し、格納したロギングデータを随時読み出して所定の表示形態で画面表示して送信電波の評価を行う送信電波評価システムであって、
ＤＵＴの環境温度を検出する温度検出手段（例えば温度センサＴＰと信号変換装置１０）を具備し、
温度検出手段で検出した温度データを測定情報に追加してロギングデータとして格納し、
温度データを経時表示する手段を具備し、
少なくとも１つの他の評価項目（例えば中心周波数Ｆｃ、隣接チャンネル漏洩電力測定ＡＣＰ、占有帯域電力率測定ＯＢＷ、その他）を、上記温度データの経時表示と対比可能に並べて経時表示する手段を具備し、
以上を具備してＤＵＴの環境温度の経時的な推移と他の評価項目との相関関係の推移をトレンドグラフ表示することを特徴とする送信電波評価システムがある。
【００１８】
次に、第６の解決手段を示す。
上記１次元スペクトラムカラー表示手段を具備し、
上述電源電圧データを経時表示する手段と、を備えることを特徴とする上述送信電波評価システムがある。
【００１９】
次に、第７の解決手段を示す。
上記１次元スペクトラムカラー表示手段を具備し、
上述温度データを経時表示する手段と、を備えることを特徴とする上述送信電波評価システムがある。
【００２０】
次に、第８の解決手段を示す。
上記１次元スペクトラムカラー表示手段を具備し、
上述電源電圧データを経時表示する手段を具備し、
上述温度データを経時表示する手段と、を備えることを特徴とする上述送信電波評価システムがある。
【００２１】
次に、第９の解決手段を示す。
上述測定情報の一態様としては、スペクトラムアナライザが測定して得たスペクトラムデータと、スペクトラムデータから算出して求めた各種数値データ（例えば中心周波数Ｆｃ、隣接チャンネル漏洩電力測定ＡＣＰ、占有帯域電力率測定ＯＢＷ、その他）と、測定時の時刻情報とを備える、ことを特徴とする上述送信電波評価システムがある。
【００２２】
尚、本願発明手段は、所望により、上記解決手段における各要素手段を適宜組み合わせて、実用可能な他の構成手段としても良い。また、上記各要素に付与されている符号は、発明の実施の形態等に示されている符号に対応するものの、これに限定するものではなく、実用可能な他の均等物を適用した構成手段としても良い。
【００２３】
【発明の実施の形態】
以下に本発明を適用した実施の形態の一例を図面を参照しながら説明する。また、以下の実施の形態の説明内容によって特許請求の範囲を限定するものではないし、更に、実施の形態で説明されている要素や解決手段は、一例でありその形容／形態内容のみに限定するものではない。
【００２４】
本発明について、図２〜図５を参照して以下に説明する。尚、従来構成に対応する要素は同一符号を付し、また重複する部位の説明は省略する。
【００２５】
図２は本発明の移動体通信用の基地局を評価する送信電波評価システムの概念構成図である。この構成要素は基地局のＤＵＴと、ＤＣ電源と、電源電圧測定端子ＶＴと、温度センサＴＰと、スペクトラムアナライザＳＡと、信号変換装置１０と、通信手段８１、８２と、パーソナル・コンピュータＰＣと、表示装置９０とがある。
【００２６】
電源電圧測定端子ＶＴは、ＤＵＴへ供給する直流電源の電圧をチェックするモニタ端子である。この電源電圧測定端子ＶＴの電圧信号Ｖ１を信号変換装置１０へ供給する。これにより、ＤＵＴで使用している直流電源の電圧変動や急激な電圧変動を検出できる。
【００２７】
温度センサＴＰは、ＤＵＴの温度（環境温度）を検出する、例えば熱電対型の温度センサであって、ＤＵＴに隣接若しくは基地局の部屋に設置する。検出した温度検出信号Ｔ１は信号変換装置１０へ供給する。これにより、ＤＵＴの昼夜の温度変化を継続的に検出できる。
【００２８】
信号変換装置１０は、上記電圧信号Ｖ１と温度検出信号Ｔ１のアナログ信号を受けて、量子化変換してコードデータに変換した後、通信手段８２を介してＰＣへデータ転送する。また、ピークホールド機能を備えることで、瞬停、誘導雷等に伴う急激な正負方向への電圧変動も検出できる。
【００２９】
ＰＣには表示処理部５２を備える。表示処理部５２は、従来の表示処理機能に追加した機能として、後述で説明するトレンドグラフ表示機能が実現されるように、測定データのデータ処理、及び表示用のデータ処理を行っている。トレンドグラフ表示機能とは、各種測定データの経時的な推移を表示する形態の表示機能である。
次に、図３は多数点のスペクトラムデータの経時的な推移をトレンドグラフ表示する一例である。周知のように従来のスペクトラム表示はＸ軸を周波数軸とし、Ｙ軸をレベル軸として、スペクトラムデータの１つ若しくは複数小数を画面表示する形態であった。
本発明では、擬似的な３次元情報表示手段で多数測定回数のスペクトラムデータを実用的に表示可能としている。即ち、Ｘ軸が周波数であり、Ｙ軸が測定回数もしくは測定時間であり、仮想Ｚ軸が各単位周波数における信号レベルである。
【００３０】
図３（ｂ）はスペクトラムのレベル値に対応して割り当てるドット表示色の一例を示している。即ち、スペクトラムデータをＰ個の単位周波数区間に分割し、分割したＰ個の単位周波数区間毎の各々において平均値を求め、求めた値を当該周波数区間の等価レベルと見なす。得られたＰ個の等価レベルは各等価レベルに対応した表示色に変換された後、ドット表示形態で表示する。通常、画面上で実用的に識別可能な色数は１６〜６４程度であるので、Ｐ個の分割値も１６〜６４と比較的粗い表示となる。例えば、周波数スパンが８ＭＨｚとし、Ｐ＝６４と仮定すると、単位周波数区間は８ＭＨｚ／６４≒１２５ＫＨｚ単位であり、この分解能でドット表示されることになる。尚、図３においては異なるドット表示色の代わりに、丸や三角形や四角形の異形シンボル表現としている。
【００３１】
次に、図３（ａ）のＸ軸方向の横一列分をドット表示するカラー表示データについて説明する。Ｘ軸方向の横一列分のドット表示は、スペクトラムデータの擬似的なスペクトラム表示である。
第１に、１つの測定データのスペクトラムレベルをＸ軸方向の横一列にドット表示する表示形態がある。この場合には１回の測定データ毎にドット表示されるので短時間における変動推移を目視確認するときに適している。尚、図３に示すドット表示の全体は作業者のマウス操作により任意にスクロールさせることができる。また大量のロギングデータの中で所望の日時を数値指定入力することで瞬時に移動して表示できる。
【００３２】
第２に、所望複数点Ｑの測定データを一単位としたスペクトラムレベルをＸ軸方向の横一列にドット表示する表示形態がある。所望複数点Ｑの個数は２以上に任意の数値を作業者が指定できる。
この場合には連続する所望複数点Ｑの測定データのスペクトラムレベルを受けて、各単位周波数区間毎に平均し、得られた平均値データに基づいて対応するドット表示色で表示する。この場合には大量の測定データを圧縮表示することができる。従って、数秒以下のロギングデータから数時間以上のロギングデータまでの経時的な推移を同一画面上に利便性良く表示することができる。且つ、作業者の検査作業時間の大幅な短縮が可能となる利点が得られる。
ところで、図３（ａ）に示すトレンドマーカーＭ１は、指定の測定データの数値情報を表示させるときに使用するカーソル表示であって、ユーザーのマウス操作により上下方向へ任意に移動できる。そして、カーソルで指示された位置の測定時刻情報や測定データに基づく数値情報を画面上に表示する。例えば、測定日時、中心周波数Ｆｃ、隣接チャンネル漏洩電力（ＡＣＰ）、占有帯域電力率（ＯＢＷ）、周波数偏差、環境温度、電源電圧等を画面周辺に表示する。
【００３３】
これによれば、多数回測定した大量のロギングデータを実用的に同一画面上に表示することが可能となる利点が得られる。更に、経時的な変動を一目瞭然に判断できる利点が得られる。例えば、図３Ａでは中心周波数Ｆｃが経時後においてΔＦｃだけ変動していることが容易に判る。また、図３Ｂではスペクトラムが通常状態よりも拡散状態にあることが容易に判る。これにより、ＤＵＴが電波行政で定められている許容範囲にあるかを検査監視する利便性が得られる。且つ、作業者の検査作業時間の大幅な短縮が可能となる利点が得られる。また、点検や修理等の必要性の有無についても容易に判断できる。
【００３４】
次に、図４は多数点のロギングデータを受けて、表示項目として隣接チャンネル漏洩電力（ＡＣＰ）と、占有帯域電力率（ＯＢＷ）と、ＤＵＴの電源電圧（ＤＣＶ）とについての経時的な推移をトレンドグラフ表示する一例である。これにより、３つの表示項目間の相関関係の対比と判断が画面上から容易にできる。この表示形態では、Ｘ軸が同一共通の時間軸であり、Ｙ軸が個々の表示項目のレベル表示である。ＡＣＰでは各隣接チャンネルにおける漏洩電力レベルと、基準電力との推移表示であり、ＯＢＷでは、指定した占有率をカバーする信号の周波数帯域と、信号の中心周波数との推移表示であり、ＤＣＶでは直流電圧の推移表示である。
【００３５】
ＤＵＴは終日連続運転している。この為、瞬停やＤＣ電源の劣化トラブル等に伴うＤＣ電源電圧変動に伴って、ＤＵＴの電波品質に影響を与える可能性がある。例えば、図４Ａにおいて電圧変動が生じたとき、これに対応するＡＣＰ、ＯＢＷ側の推移の相関関係を的確に確認することができる利点が得られる。また、図４Ｂ点において急激な電圧変動が生じたとき、これに対応するＡＣＰ、ＯＢＷ側の推移の相関関係を確認することが的確にできる利点が得られる。即ち、ＤＣ電源電圧変動に伴って、ＤＵＴが電波行政で定められている許容範囲にあるかを的確容易に検査することができる。且つ、作業者の検査作業時間の大幅な短縮が可能となる利点が得られる。
【００３６】
次に、図５は、中心周波数Ｆｃと、ＤＵＴの環境温度の経時的な推移をトレンドグラフ表示する一例である。Ｘ軸が同一共通の時間軸（Ｓｅｃ）であり、Ｙ軸においては中心周波数Ｆｃが周波数軸であり、環境温度が温度軸（℃）である。ＤＵＴは昼夜を問わず終日連続運転されているため、昼夜の温度差に伴ってＤＵＴの電波品質に影響を与える場合がある。尚、トレンドグラフ表示の表示期間によっては、秒（Ｓｅｃ）、分（Ｍｉｎ）、時間（ｈｏｕｒ）、その他で表示しても良い。
例えば、図５Ａに示す昼夜の大きな温度変動に伴って、図５Ｂに示すように、中心周波数Ｆｃが相関する周波数変動を示している様子が判る。また、図５Ｃに示す部位ではＤＵＴで水晶振動子等の不良や劣化等が発生し始めている兆候を把握できる。
【００３７】
上述したように本発明によれば、第１に、多数点のロギングデータを経時的な推移を示すトレンドグラフ表示することにより、ＤＵＴの各種の電波品質の評価や判定が極めて容易に行える大きな利点が得られ、且つ、作業者の検査作業時間の大幅な短縮が可能となる利点が得られる。
第２に、ＤＵＴの各種の電波品質に影響を与える要素として、ＤＵＴへ供給するＤＣ電源電圧の同時測定と、ＤＵＴの環境温度の同時測定を行って同一時間軸上で表示させることにより、これら影響要素とＤＵＴの各種の電波品質との相関関係を一目瞭然に評価判定できる利点が得られる。この結果、電波品質の維持管理をより一層的確に行えることとなる。
【００３８】
尚、本発明の技術的思想は、上述実施の形態の具体構成例、接続形態例に限定されるものではない。更に、本発明の技術的思想に基づき、上述実施の形態を適宜変形して広汎に応用してもよい。
例えば、上述実施例では、信号変換装置１０の電圧測定のチャンネル数は１チャンネルとした具体例であったが、所望により、被測定装置で使用されている電源の種類数に対応する電圧測定チャンネル数を備え、これに対応する電圧表示を行うようにしても良い。
【００３９】
また、上述実施例では、温度センサは１チャンネルとした具体例であったが、所望により、複数チャンネルを備え、これに対応する温度表示を行うように構成しても良い。
【００４０】
また、上述実施例では、ＳＡとＰＣとのインタフェースがＧＰＩＢの場合とした具体例であったが、所望により、他のインタフェース形態、例えばＬＡＮ、無線ＬＡＮ、及びシリアル・インターフェース等で構成しても良い。
【００４１】
また、上述実施例では、ロギング用としてパーソナル・コンピュータＰＣに備える記憶装置６０を適用したが、更に専用の大容量の外部記憶装置を追加して備えても良い。
【００４２】
また、上述実施例の図３（ａ）では、Ｘ軸方向の横一列分の全てをカラーでドット表示させる場合の具体例であったが、所望により、前回のドット表示に対して色が変化したドットのみを対象として表示するようにしても良い。この場合には、レベル変化のあったものがカラーで輝度表示されるので、視認性が向上する。
【００４３】
【発明の効果】
本発明は、上述の説明内容からして、下記に記載される効果を奏する。
上述説明したように本発明によれば、多数回測定した大量のロギングデータを実用的に同一画面上に表示することが可能となる利点が得られる。更に、経時的な変動を一目瞭然に判断できる利点が得られる。例えば、図３Ａでは中心周波数Ｆｃが経時後においてΔＦｃだけ変動していることが容易に判る。また、図３Ｂではスペクトラムが通常状態よりも拡散状態にあることが容易に判る。これにより、ＤＵＴが電波行政で定められている許容範囲にあるかを検査監視する利便性が得られる。且つ、作業者の検査作業時間の大幅な短縮が可能となる利点が得られる。また、点検や修理等の必要性の有無についても容易に判断できる。
【００４４】
上述したように本発明によれば、第１に、多数点のロギングデータを経時的な推移を示すトレンドグラフ表示することにより、ＤＵＴの各種の電波品質の評価や判定が極めて容易に行える大きな利点が得られ、且つ、作業者の検査作業時間の大幅な短縮が可能となる利点が得られる。
第２に、ＤＵＴの各種の電波品質に影響を与える要素として、ＤＵＴへ供給するＤＣ電源電圧の同時測定と、ＤＵＴの環境温度の同時測定を行って同一時間軸上で表示させることにより、これら影響要素とＤＵＴの各種の電波品質との相関関係を一目瞭然に評価判定できる利点が得られる。この結果、電波品質の維持管理をより一層的確に行えることとなる。
従って、本発明の技術的効果は大であり、産業上の経済効果も大である。
【図面の簡単な説明】
【図１】従来の、移動体通信用の基地局を評価する送信電波評価システムの従来の概念構成図である。
【図２】本発明の、移動体通信用の基地局を評価する送信電波評価システムの概念構成図である。
【図３】多数点のスペクトラムデータの経時的な推移をトレンドグラフ表示する一例である。
【図４】多数点のロギングデータを受けて、表示項目として隣接チャンネル漏洩電力（ＡＣＰ）と、占有帯域電力率（ＯＢＷ）と、ＤＵＴの電源電圧（ＤＣＶ）とについての経時的な推移をトレンドグラフ表示する一例である。
【図５】中心周波数Ｆｃと、ＤＵＴの環境温度の経時的な推移をトレンドグラフ表示する一例である。
【符号の説明】
ＳＭ　　　　　　電波信号モニタ端子
１０　　　　　　信号変換装置
２０　　　　　　スペクトラム測定部
５０，５２　　表示処理部
６０　　　　　　記憶装置
８１，８２　　通信手段
９０　　　　　　表示装置
ＡＣＰ　　　　隣接チャンネル漏洩電力
ＤＣＶ　　　　電源電圧
ＤＵＴ　　　　被試験装置
Ｆｃ　　　　　　中心周波数
ＯＢＷ　　　　占有帯域電力率
ＰＣ　　　　　　パーソナル・コンピュータ
ＳＡ　　　　　　スペクトラムアナライザ
ＴＰ　　　　　　温度センサ
ＶＴ　　　　　　電源電圧測定端子
【図１】
2004056339.tif 000003
【図２】
2004056339.tif 000004
【図３】
2004056339.tif 000005
【図４】
2004056339.tif 000006
【図５】
2004056339.tif 000007